(57)【要約】【課題】締付紐条による張材の周縁部の引き締め時に、基体の裏側の外周縁部を覆う張材の周縁部の裏面被覆領域に皺や襞が生じるのを可及的に抑制することのできる椅子及びその製造方法を提供する。【解決手段】張材１３の周縁部の背板の裏側の外周縁部を覆う裏面被覆領域１３ｂに、周縁方向外側に開口する開口部３０を形成する。張材１３の周縁部を裏側に折り返した状態で開口部３０の対向する辺同士を相互に突き合わせる。張材１３によってクッション材の外側面と背板の外周縁部を覆った状態で、周縁部に通した締付紐条を背板の裏面側で引き締めて締付紐条の端部同士を結束する。【選択図】図９
2015077356.tif 000002
【特許請求の範囲】
【請求項１】
骨格部を成す基体と、
該基体の表面側に配置されるクッション材と、
少なくとも前記クッション材の外側面と前記基体の外周縁部とにかかる部分を覆い、周縁部が前記基体の外周縁部の裏側に折り返されて支持されるシート状の張材と、
該張材の前記周縁部に挿通され、該張材が前記クッション材の外側面と前記基体の外周縁部を覆った状態で、前記基体の裏面側で引き締められて端部同士を結束される締付紐条と、を有する荷重支持体を備えた椅子において、
前記張材の周縁部の前記基体の裏側の外周縁部を覆う裏面被覆領域には、当該張材の周縁部を折り返される前の状態で周縁方向外側に開口する開口部が形成され、
前記張材は、周縁部を裏側に折り返された状態で前記開口部の対向する辺同士を相互に突き合わせ、前記周縁部を前記締付紐条によって引き締められていることを特徴とする椅子。
【請求項２】
前記張材は、周縁部を裏側に折り返された状態で前記開口部の対向する辺同士を相互に突き合わせて連結した短絡連結部を有することを特徴とする請求項１に記載の椅子。
【請求項３】
前記短絡連結部は、前記張材の前記裏面被覆領域が前記基体の裏側の外周縁部を覆った状態で、前記締付紐条の周回方向と略直交する方向に沿うように形成されていることを特徴とする請求項２に記載の椅子。
【請求項４】
前記基体は、四隅に角部を有する平面視略矩形状に形成され、前記裏面被覆部の前記角部を被覆する領域に前記開口部が形成されていることを特徴とする請求項１〜３のいずれか１項に記載の椅子。
【請求項５】
前記基材の角部には、前記締付紐条の引き締めによって前記張材の周縁部が中央側に窄められたときに、前記張材の周縁部の中央領域方向への変位を規制する係止部が突設されていることを特徴とする請求項１〜４のいずれか１項に記載の椅子。
【請求項６】
前記開口部は、底部中央に向かって傾斜する一対のテーパ部と、各テーパ部の端部から開口端に向かって延出し、相互に略平行な一対の平行部と、を備えていることを特徴とする請求項１〜５のいずれか１項に記載の椅子。
【請求項７】
骨格部を成す基体と、
該基体の表面側に配置されるクッション材と、
少なくとも前記クッション材の外側面と前記基体の外周縁部とにかかる部位を覆い、周縁部が前記基体の外周縁部の裏側に折り返されて支持されるシート状の張材と、
該張材の前記周縁部に挿通され、該張材が前記クッション材の外側面と前記基体の外周縁部を覆った状態で、前記基体の裏面側で引き締められて端部同士を結束される締付紐条と、を有する荷重支持体を備えた椅子の製造方法において、
前記張材の周縁部の前記基体の裏側の外周縁部を覆う裏面被覆領域に、周縁方向外側に開口する開口部を形成し、
前記張材の周縁部を裏側に折り返した状態で前記開口部の対向する辺同士を相互に突き合わせ、
前記張材によって前記クッション材の外側面と前記基体の外周縁部を覆った状態で、前記基体の裏面側で前記締付紐条を引き締めて当該締付紐条の端部同士を結束することを特徴とする椅子の製造方法。
【発明の詳細な説明】
【技術分野】
【０００１】
この発明は、座体や背凭れ等の荷重支持体の張材の取り付けを改良した椅子及びその製造方法に関するものである。
【背景技術】
【０００２】
事務用等として用いられる椅子の背凭れや座体は、通常、骨格部を成す基板の表面側にウレタン等のクッション材が配置され、クッション材の外側面と基板の外周縁部にかかる部分がシート状の張材によって覆われている。
【０００３】
この種の椅子の張材の取り付けに際しては、汚損時等に張材を交換し易いことや、張材の全域に安定した張力を付与し易いことから、張材の周縁部を基板の裏面側に折り返した後に締付紐条を用いて張材の周縁部を基板の裏面側で窄め、それによって張材をクッション材と基板に固定する手法が多く用いられている（例えば、特許文献１〜３参照）。
【先行技術文献】
【特許文献】
【０００４】
【特許文献１】特許第３７２８５７６号公報
【特許文献２】特許第３６０３２５１号公報
【特許文献３】特許第４２５５６７０号公報
【発明の概要】
【発明が解決しようとする課題】
【０００５】
しかしながら、このような従来の椅子においては、寸法が予め決められている張材の周縁部を基板の裏面側で締付紐条によって引き締めるという構造上、引き締められた張材の周縁部に皺や襞が生じやすく、特に、張材のうちの基板の角部を覆う角部被覆領域では、引き締め時の曲率半径が小さくなることから、締付紐条によって張材の周縁部が強く引き締められたときに皺や襞が多く発生し易い。そして、この皺や襞は椅子の外観体裁を損なう原因となり易い。
この対策としては、基板の裏面側に、張材の周縁部を覆うカバー部材を配置することも考えられるが、この場合でも、張材の周縁部に生じる皺や襞が大きいときには、その皺や襞がカバー部材を押し上げてしまう可能性が考えられる。
【０００６】
そこでこの発明は、締付紐条による張材の周縁部の引き締め時に、基体の裏側の外周縁部を覆う張材の裏面被覆領域に皺や襞が生じるのを可及的に抑制することのできる椅子及びその製造方法を提供しようとするものである。
【課題を解決するための手段】
【０００７】
この発明に係る椅子は、骨格部を成す基体と、該基体の表面側に配置されるクッション材と、少なくとも前記クッション材の外側面と前記基体の外周縁部とにかかる部分を覆い、周縁部が前記基体の外周縁部の裏側に折り返されて支持されるシート状の張材と、該張材の前記周縁部に挿通され、該張材が前記クッション材の外側面と前記基体の外周縁部を覆った状態で、前記基体の裏面側で引き締められて端部同士を結束される締付紐条と、を有する荷重支持体を備えた椅子において、前記張材の周縁部の前記基体の裏側の外周縁部を覆う裏面被覆領域には、当該張材の周縁部を折り返される前の状態で周縁方向外側に開口する開口部が形成され、前記張材は、周縁部を裏側に折り返された状態で前記開口部の対向する辺同士を相互に突き合わせ、前記周縁部を前記締付紐条によって引き締められていることを特徴とするものである。
これにより、張材の裏面被覆領域は周縁部を折り返された状態で開口部の対向する辺同士を突き合せられ、その状態で基体の裏側の外周縁部を被覆することになる。このとき、張材の裏面被覆領域では余剰な素材が予め取り除かれることになるため、張材の周縁部が締付紐条によって引き締められても、皺や襞が生じにくくなる。
【０００８】
前記張材は、周縁部を裏側に折り返された状態で前記開口部の対向する辺同士を相互に突き合わせて連結した短絡連結部を有する構造とすることが望ましい。
この場合、張材の裏面被覆領域では開口部の対向する辺同士が短絡連結部によって連結されるため、締付紐条による張材の周縁部の引き締めを容易に行うことが可能になるとともに、締付紐条による引き締め後に開口部が広がることがなくなる。また、張材の開口部は短絡連結部によって強度を高められるため、締付紐条による締め込みによって張材の周縁部が基体中心側方向に強く引っ張られても、その引っ張り荷重に対する開口部周辺の耐性が高まる。したがって、締付紐条による締め込み力を高めて張材により強い張りを持たせることが可能になる。
また、張材の裏面被覆領域の開口部の対向する辺同士が短絡連結部によって連結されると、張材の周縁部が基体の外周縁部を表面から裏面側に立体的に包み込む形状に保持される。このため、張材を基体に対して位置合わせし易くなる。
【０００９】
前記短絡連結部は、前記張材の裏面被覆領域が前記基体の裏側の外周縁部を覆った状態で、前記締付紐条の周回方向と略直交する方向に沿うように形成されることが望ましい。
この場合、締付紐条による締め込みによって張材の周縁部が内周側に引き込まれたときに短絡連結部がより高い強度を発揮するようになる。
【００１０】
前記基体は、四隅に角部を有する平面視略矩形状に形成され、前記裏面被覆部の前記角部を被覆する領域に前記開口部が形成されることが望ましい。
この場合、隣接する角部の間の距離が充分に大きくなるために、着座者の荷重を支える部分の面積が大きく確保され、しかも、角部の曲がりの強くなる部分での張材上の皺や襞の発生が抑制される。
【００１１】
前記基材の角部には、前記締付紐条の引き締めによって前記張材の周縁部が中央側に窄められたときに、前記張材の周縁部の中央領域方向への変位を規制する係止部が突設されるようにしても良い。
この場合、張材の周縁部の内周方向の変位が係止部によって規制され、張材の位置ずれによる新たな皺や襞の発生が未然に防止される。
【００１２】
前記開口部は、底部中央に向かって傾斜する一対のテーパ部と、各テーパ部の端部から開口端に向かって延出し、相互に略平行な一対の平行部と、を備えている。
この場合、開口部がテーパ部と平行部の直線状の辺に囲まれて構成されるため、開口部を形成するための張材の裁断が容易になる。
【００１３】
また、この発明に係る椅子の製造方法は、骨格部を成す基体と、該基体の表面側に配置されるクッション材と、少なくとも前記クッション材の外側面と前記基体の外周縁部とにかかる部位を覆い、周縁部が前記基体の外周縁部の裏側に折り返されて支持されるシート状の張材と、該張材の前記周縁部に挿通され、該張材が前記クッション材の外側面と前記基体の外周縁部を覆った状態で、前記基体の裏面側で引き締められて端部同士を結束される締付紐条と、を有する荷重支持体を備えた椅子の製造方法において、前記張材の周縁部の前記基体の裏側の外周縁部を覆う裏面被覆領域に、周縁方向外側に開口する開口部を形成し、前記張材の周縁部を裏側に折り返した状態で前記開口部の対向する辺同士を相互に突き合わせ、前記張材によって前記クッション材の外側面と前記基体の外周縁部を覆った状態で、前記基体の裏面側で前記締付紐条を引き締めて当該締付紐条の端部同士を結束することを特徴とするものである。
【発明の効果】
【００１４】
この発明によれば、張材の裏面被覆領域の余剰な素材が開口部によって予め取り除かれ、開口部の対向する辺同士が突き合せられた状態で周縁部が締付紐条によって引き締められるため、締付紐条による張材の周縁部の引き締め時に、張材の周縁部の裏面被覆領域に皺や襞が生じるのを可及的に抑制することができる。
【図面の簡単な説明】
【００１５】
【図１】この発明の一実施形態の椅子の側面図である。
【図２】この発明の一実施形態の椅子の背面図である。
【図３】この発明の一実施形態の背板の背面図である。
【図４】この発明の一実施形態の背凭れ本体のカバー部材を取り去った背面図である。
【図５】この発明の一実施形態の背凭れ本体の図４のＶ−Ｖ断面に対応する断面図である。
【図６】この発明の一実施形態の張材の正面図である。
【図７】この発明の一実施形態の張材の図６のＶＩＩ部の拡大図である。
【図８】この発明の一実施形態の背凭れ本体の図２のＶＩＩＩ部のカバー部材を取り去った拡大背面図である。
【図９】この発明の一実施形態の背凭れ本体の一部を右上後方側から見た斜視図である。
【図１０】この発明の他の実施形態の張材の周縁部を折り返す前の状態を示す平面図である。
【発明を実施するための形態】
【００１６】
以下、この発明の一実施形態を図面に基づいて説明する。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１７】
図１，図２は、この実施形態の椅子１の全体構成を示す側面図と背面図である。
これらの図に示すように、この実施形態の椅子１は、フロアＦ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、を備えている。
【００１８】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の背凭れ支持フレーム９と、背凭れ支持フレーム９の後上部に取り付けられ座体４に着座した着座者の背部を直接支持する背凭れ本体１０と、を備え、背凭れ支持フレーム９の前部下端が支基３内の傾動調整機構に連結されている。
【００１９】
この実施形態においては、背凭れ部６の背凭れ本体１０が荷重支持体を構成している。
背凭れ部６の背凭れ本体１０は、骨格部を成す背板１１（基体）と、背板１１の前面側に配置されるウレタン等から成るクッション材１２（図５参照）と、クッション材１２の外側面と背板１１の外周縁部にかかる部分を覆うシート状の張材１３と、背板１１の裏面側（後面側）を覆うカバー部材１４と、を備えている。この実施形態の場合、クッション材１２は、張材１３の裏面に熱溶着によって一体に接合されている。
【００２０】
図３は、背板１１を裏面側から見た図であり、図４は、カバー部材１４を取り去った背凭れ本体１０を裏面側から見た図、図５は、図４のＶ−Ｖ断面に対応する断面図である。
背板１１は、弾性を有する合成樹脂によって形成されている。背板１１は、正面視では四隅が丸みを帯びた縦長の略長方形状に形成され、その前面側で着座者の腰部から背部に亘る部位を支持し得るようになっている。背板１１は、高さ方向の下から３分の１程度の高さ位置で着座者の腰部付近を支持し、それよりも上方側の領域で着座者の背部付近を支持する。なお、以下では、背板１１のうちの着座者の腰部付近を支持する領域を「腰部支持領域１１ａ」と呼び、それよりも上方側で着座者の背部付近を支持する領域を「背部支持領域１１ｂ」と呼ぶものとする。
【００２１】
背板１１は、側面視で腰部支持領域１１ａが前方側に凸状に湾曲し、その部分が着座する着座者の腰部に最初に接触する膨出領域を構成している。また、背板１１の前面は、上下方向のほぼ全域の水平断面が後方側に凹状に湾曲する形状とされている。この背板１１の前面の凹形状は上下方向で窪み深さが変化しており、腰部支持領域１１ａの上下方向の中間部付近が最も大きく窪んでいる。また、背板１１の外周縁部は裏面側に向かって湾曲し、特に、上方側の縁部１１ｃは端末部が略水平姿勢に近づくように裏面側（後方側）に向かって大きく湾曲している。
なお、図３，図４中の符号９０は、背板１１の腰部支持領域１１ａの上下方向の略中央位置から背部支持領域１１ｂに跨る領域に、背板１１の柔軟な撓み変形を得るために形成されたスリットがある。
【００２２】
さらに、背板１１の裏面側には、背板１１の外周形状に略沿うように係止溝１５が環状に形成されている。この係止溝１５は、背板１１の裏面に突設された内側壁部１５ａと外側壁部１５ｂによって形成されている。係止溝１５は、背板１１の外周端部から中央領域側に設定距離離間した位置に設けられている。係止溝１５には、後に詳述するように背板１１を被覆した張材１３の周縁部１３ａが挿入されて係止される。係止溝１５の内側壁部１５ａの適宜ヶ所には、張材１３の周縁部１３ａの抜けを規制するための抜け止め突起１６（係止部）が突設されている。この実施形態の場合、抜け止め突起１６は、係止溝１５の四隅の角部と、上辺及び下辺の略中央位置に設けられている。
【００２３】
また、背板１１の裏面のうちの、背板１１の左右の側辺と、その側辺に対向する外側壁部１５ｂの間の領域には、背板幅方向に延出して背板１１の側辺と外側壁部１５ｂを連結する複数の補強リブ１７が設けられている。なお、背板１１の水平断面は、腰部支持領域１１ａが最も大きく凹状に窪んでいるため、この凹形状の窪み深さに応じて腰部支持領域１１ａに配置される補強リブ１７の前後方向の突出高さが他の補強リブ１７の突出高さよりも高くなっている。
【００２４】
一方、背板１１の前面と外周縁部を覆う張材１３は、その周縁部１３ａが背板１１の外周縁部で裏面側に折り返され、その状態で周縁部１３ａが締付紐条１８によって窄められて背板１１の裏面側に固定されている。
具体的には、張材１３の周縁部１３ａには、図５に示すように、樹脂製の糸の縫い付けによって連続したリング状の挿通部１９が付設され、その挿通部１９に締付紐条１８が通されるようになっている。そして、張材１３の周縁部１３ａを背板１１の裏面側に固定する場合には、張材１３の周縁部１３ａを背板１１の裏側に折り返し、その状態で締付紐条１８を内側のループを狭めるように締め込み、図４に示すように、締付紐条１８と張材１３の周縁部１３ａとを、係止溝１５内に入れ込んだ状態で締付紐条１８の端部同士を結束する。こうして、締付紐条１８が結束されると、張材１３の周縁部１３ａが係止溝１５内に固定され、締付紐条１８と周縁部１３ａの係止溝１５からの抜けが抜け止め突起１６によって規制される。
この結果、背板１１の前面と外周縁部を覆った張材１３は、周縁部１３ａが背板１１の裏面側に引き込まれて背板１１の前面側の張力を高められるとともに、背板１１に対する相対位置を固定される。そして、こうして張材１３が背板１１に固定されると、係止溝１５が背板１１の外周形状に略沿って形成されていることから、張材１３の周縁部１３ａは、図４に示すように、背板１１の外周形状と略相似形状をなした状態で固定される。
なお、張材１３のうちの背板１１の裏側の外周縁部を覆う部分については、以下、「裏面被覆部１３ｂ」と呼び、特に、背板１１の裏面側の外周縁部の角部を覆う部分については、「角部被覆領域１３ｂｃ」と呼ぶものとする。張材１３の裏面被覆領域１３ｂには、締付紐条１８の締め込みに伴う周縁部１３ａの皺や襞の発生を抑制するための特別な構成が採用されているが、この構成については後に詳述する。
【００２５】
ところで、背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の延出部９ａは、カバー部材１４の前面側に締結固定されている。支持フレーム９の延出部９ａの前方側は背板１１によって覆われている。この実施形態では、カバー部材１４は、背凭れ支持フレーム９とともに着座者からの入力荷重を支える強度部材として機能するため、剛性の高い合成樹脂によって形成されている。
【００２６】
カバー部材１４は、図２に示すように、中央領域から張材１３の四隅の角部被覆領域１３ｂｃ方向に中央側から延出して、各角部被覆領域１３ｂｃの裏面側を覆う４つの張り出し部２０と、左側上下の張り出し部２０の間と右側上下の張り出し部２０の間にあって、上下の張り出し部２０を結ぶ仮想直線Ｌ１に対して背凭れ幅方向の内側に凹状に窪む２つの凹部２１と、を備えている。この実施形態の場合、カバー部材１４の左右の凹部２１は、背板１１の腰部支持領域１１ａの前方側に膨出する部分に対応する位置に設けられている。カバー部材１４の凹部２１は、上下の張り出し部２０に比較して幅方向内側に窪んでいるが、この凹部２１の縁部は少なくとも張材１３の周縁部１３ａの裏面側を覆うようになっている。
なお、カバー部材１４は必ずしも強度部材でなくても良く、その場合には、背板１１を直接背凭れ支持フレーム９に連結すれば良い。
【００２７】
つづいて、張材１３の構成について説明する。
図６は、周縁部１３ａを折り返される前の張材１３を示す図であり、図７は、図６のＶＩＩ部を拡大して示した図である。また、図８は、背凭れ本体１０の背部からカバー部材１４を取り去り、図２のＶＩＩＩ部を拡大して示した図であり、図９は、背凭れ本体１０の右側上部を拡大して示した斜視図である。
張材１３は、図６に示すように、背板１１の外形よりも一回り大きい縦長の略楕円形状に形成されている。正確には、張材１３の下縁部側には、略水平に延出する略直線部が設けられ、その略直線部の両端部が張材の両側の側辺に滑らかな円弧を描いて接続されている。なお、張材１３のうちの、図６中に鎖線で示す背板１１よりも外側の領域は、背板１１の裏側に折り返されて背板１１の裏側の外周縁部を覆う裏面被覆領域１３ｂである。
【００２８】
この実施形態の張材１３は、裏面被覆領域１３ｂのうちの、背板１１の左右上部の角部を覆う上部側の角部被覆領域１３ｂｃと、背板１１の上辺部分と、を覆う領域に周縁方向外側に開口する開口部３０，３０Ａが形成されている。張材１３の上部左右の角部被覆領域１３ｂｃには、３つの開口部３０が設定間隔離間して形成され、背板１１の上辺部分を覆う領域には、背凭れ幅方向の中央位置に１つの開口部３０Ａが形成されている。
開口部３０，３０Ａは、底部中央に向かって傾斜する一対のテーパ部３０ａと、各テーパ部３０ａの端部から開口側に向かって延出する相互に略平行な一対の平行部３０ｂと、を有している。
【００２９】
張材１３は、実際に背板１１に被着する前に、予め背板１１の上辺部分を覆う領域の開口部３０Ａの対向する辺同士（テーパ部３０ａ同士と平行部３０ｂ同士）を相互に突き合わせ、その辺同士の突き合わせ部を相互に縫合しておく。この突き合わせ部を縫合した部分は短絡連結部３１を構成する。短絡連結部３１は、背板１１の前面と外周縁部を覆った張材１３の周縁部１３ａが背板１１の裏面側で締付紐条１８によって締め込まれたときに、図８に示すように、当該短絡連結部３１が締付紐条１８の周回方向と略直交する方向に沿うように形成されている。
張材１３の背板１１の上辺部分を覆う領域の開口３０Ａが上述のように短絡連結部３１によって連結されると、張材１３の上縁部が、背板１１の上部側の外周縁部を表面から裏面側に立体的に包み込み得るように湾曲する。
【００３０】
張材１３を背板１１に取り付ける場合には、張材１３によって背板１１の前面側を覆い、その状態で張材１３の上縁部の湾曲部分を背板１１の上部側の外周縁部に引っ掛け、その状態で張材１３の周縁部１３ａの残余の部分を基板１１の裏側に折り返す。この後に、張材１３の周縁部１３ａを締付紐条１８によって締め込み、その周縁部１３ａを前述のように背板１１の裏面の係止溝１５に係止させる。なお、こうして張材１３の周縁部１３ａが背板１１の裏面側で締付紐条１８によって締め込まれると、角部被覆領域１３ｂｃの開口部３０の対向する辺同士（テーパ部３０ａ同士と平行部３０ｂ同士）が相互に近接し、開口部３０による隙間が消失する。
【００３１】
以上のように、この実施形態に係る椅子１では、張材１３の裏面被覆領域１３ｂに、張材１３の周縁部１３が折り返される前の状態で周縁方向外側に開口する開口部３０，３０Ａが形成され、周縁部１３ａを裏側に折り返した状態で開口部３０，３０Ａの対向する辺同士が相互に突き合わされ、その状態で周縁部１３ａが締付紐条１８によって引き締められているため、張材１３の裏面被覆領域１３ｂ、特に、そのうちの角度部被覆領域１３ｂＡには皺や襞が生じにくくなる。即ち、張材１３の裏面被覆領域１３ｂでは予め開口部３０，３０Ａによって余剰の素材が取り除かれることになるため、周縁部１３ａが締付紐条１８によって内側に締め込まれても裏面被覆領域１３ｂには皺や襞は生じにくくなる。
したがって、張材１３の裏面被覆領域１３ｂに多数の皺や襞が現れることによる外観体裁の低下を防止することができる。
【００３２】
また、この実施形態に係る椅子１では、張材１３の裏面被覆領域１３ｂのうちの上縁部の中央に形成された開口部３０Ａの対向する辺同士が突き合わせられ、その辺同士が短絡連結部３１によって連結されているため、締付紐条１８による張材１３の周縁部１３ａの引き締めを容易に行うことができるうえ、締付紐条１８による引き締め後における開口部３０Ａの広がりも防止することができる。
さらに、短絡連結部３１によって開口部３０Ａの縁部の強度が高められるため、締付紐条１８による締め込みによって張材１３の周縁部１３ａが中心側方向に強く引っ張られても、その引っ張り荷重に充分に耐えることができる。
【００３３】
また、この椅子１では、張材１３の裏面被覆領域１３ｂの上縁部の開口部３０Ａの対向する辺同士が短絡連結部３１によって連結されるため、張材１３の上縁部側が背板１１の上辺部を表面から裏面側に立体的に包み込む形状に保持される。このため、張材１３を背板１１に取り付ける際に、張材１３を背板１１に容易に位置合わせすることができる。
【００３４】
特に、この実施形態の場合、短絡連結部３１が締付紐条１８の周回方向と略直交する方向に沿うように設けられているため、締付紐条１８による締め込みによって張材１３の周縁部１３ａが内周側に引き込まれたときに短絡連結部３１がより高い強度を発揮する。したがって、この構造を採用することにより、締付紐条１８による締め込み力をより高め、張材１３に強い張りを持たせることが可能になる。
【００３５】
また、この実施形態の椅子１においは、四隅に角部を有する平面視略矩形状の背板１１に上記の構造の張材１３が取り付けられているため、着座者の荷重を支える部分の面積をより大きく確保しつつ、張材１３の裏面被覆領域１３ｂでの皺や襞の発生を抑制することができる。
【００３６】
さらに、この実施形態の場合、背板１１の角部に、締付紐条１８が内側に引き締められたときに張材１３の周縁部１３ａの中央領域方向への変位を規制するように抜け止め突起１６が設けられているため、張材１３の位置ずれによる新たな皺や襞の発生を未然に防止することができる。
【００３７】
また、この実施形態においては、張材１３の裏面被覆領域１３ｂに形成される開口部３０，３０Ａが、底部中央に向かって傾斜する一対のテーパ部３０ａと、各テーパ部３０ａの端部から開口端に向かって延出する相互に略平行な一対の平行部３０ｂと、から成る直線状の辺に囲まれた形状とされているため、開口部３０，３０Ａを形成するための張材１３の裁断が容易になる、という利点がある。
【００３８】
また、上記の実施形態の開口部３０，３０Ａは、一対のテーパ部３０ａと、各テーパ部３０ａに連なる平行部３０ｂと、を備えた形状とされているが、図１０に示す他の実施形態の開口部１３０のように、一対の平行部１３０ｂの底部側を円弧部１３０ｃによって連結するようにしても良い。この場合、開口部１３０，１３０Ａの底部側での素材の切除量が多くなるため、周縁部１３ａを裏側に折り返して締付紐条によって締め込んだときにおける皺や襞の発生をより少なくすることができる。
【００３９】
なお、この発明は上記の実施形態に限定されるものではなく、その要旨を逸脱しない範囲で種々の設計変更が可能である。例えば、上記の実施形態は、背凭れ部の背凭れ本体が荷重支持体である実施形態であるが、荷重支持体は座体であっても良い。また、上記の実施形態の基体（背板）は略長方形状であるが、基体の形状は四角に限らず五角形等のその他の多角形状であっても良い。さらに、基体は必ずしも板状構造のものに限らず、枠状のものであっても良い。
【符号の説明】
【００４０】
１０  背凭れ本体（荷重支持体）
１１  背板（基体）
１２  クッション材
１３  張材
１３ａ  周縁部
１３ｂ  裏面被覆領域
１６  抜け止め突起（係止部）
１８  締付紐条
３０，３０Ａ  開口部
３０ａ  テーパ部
３０ｂ  平行部
３１  短絡連結部
【図１】
2015077356.tif 000003
【図２】
2015077356.tif 000004
【図３】
2015077356.tif 000005
【図４】
2015077356.tif 000006
【図５】
2015077356.tif 000007
【図６】
2015077356.tif 000008
【図７】
2015077356.tif 000009
【図８】
2015077356.tif 000010
【図９】
2015077356.tif 000011
【図１０】
2015077356.tif 000012